(57)【要約】本開示は、少なくとも１つの区画に水溶性フィルムによって少なくとも部分的に密閉されている、化学的に異なる水溶性フィルムの組み合わせから製造され、家庭用ケア組成物を収容するパウチに関する。
2019518674.tif 000002
【特許請求の範囲】
【請求項１】
少なくとも１種の家庭用ケア組成物を含む少なくとも１つの封止された区画を含む水溶性単位用量物品であって、前記水溶性単位用量物品は、
第１の水溶性フィルムと、
第２の水溶性フィルムと、を含み、
前記第１のフィルムは、前記第２のフィルムに封止されて、前記少なくとも１つの封止された区画を形成し、
前記第１の水溶性フィルムは、前記フィルムのアニオン含有量に関して前記第２の水溶性フィルムと化学的に異なっている、水溶性単位用量物品。
【請求項２】
前記第１の水溶性フィルムが、第１のアニオン含有量を含み、前記第２の水溶性フィルムが、第２のアニオン含有量を含み、前記第１のアニオン含有量は、前記第２のアニオン含有量より大きい、請求項１に記載の水溶性単位用量物品。
【請求項３】
前記第１のアニオン含有量と前記第２のアニオン含有量との間の差は、約０．０５モル％〜約４モル％、又は約０．１モル％〜約２モル％、又は約０．２モル％〜約１モル％である、請求項１又は２に記載の水溶性単位用量物品。
【請求項４】
前記第１の水溶性フィルムが、前記フィルム中のＰＶＯＨポリマー全体の約０．５モル％〜約１０モル％、又は約０．７５モル％〜約７．５モル％、又は約１モル％〜約５モル％、又は約１．２５モル％〜約４モル％、又は約１．５モル％〜約３モル％の範囲の第１のアニオン含有量を含み、前記第２の水溶性樹脂が、前記フィルム中のＰＶＯＨポリマー全体の約０モル％〜約５モル％、又は約０．２５モル％〜約４モル％、又は約０．５モル％〜約３モル％、又は約０．７５モル％〜約２モル％、又は約１モル％〜約１．５モル％の範囲の第２のアニオン含有量を含む、請求項１〜３のいずれか一項に記載の水溶性単位用量物品。
【請求項５】
前記第１の水溶性フィルムが第１の水溶性樹脂を含み、前記第２の水溶性フィルムが第２の水溶性樹脂を含む、請求項１〜４のいずれか一項に記載の水溶性単位用量物品。
【請求項６】
前記第１の水溶性樹脂が、前記第２の水溶性樹脂と化学的に異なっている、請求項５に記載の水溶性単位用量物品。
【請求項７】
前記第１の水溶性樹脂が、アニオン性モノマー単位を含む少なくとも１種のポリビニールアルコールコポリマーを含み、前記第２の水溶性樹脂が、少なくとも１種のポリビニールアルコールホモポリマーを含み、アニオン性モノマー単位を含むポリビニールアルコールコポリマーを実質的に含まない、請求項１〜６のいずれか一項に記載の水溶性単位用量物品。
【請求項８】
前記第１の水溶性樹脂が、アニオン性モノマー単位を含む２種以上のポリビニールアルコールコポリマーの第１のブレンドを含み、前記第２の水溶性樹脂が、アニオン性モノマー単位を含む２種以上のポリビニールアルコールコポリマーの第２のブレンドを含み、前記第１のブレンドが、前記第２のブレンドと化学的に異なっている、請求項１〜７のいずれか一項に記載の水溶性単位用量物品。
【請求項９】
前記第１の水溶性樹脂が、アニオン性モノマー単位を含む少なくとも１種のポリビニールアルコールコポリマーと少なくとも１種のポリビニールアルコールホモポリマーとの第１のブレンドを含み、前記第２の水溶性樹脂が、アニオン性モノマー単位を含む少なくとも１種のポリビニールアルコールコポリマーと少なくとも１種のポリビニールアルコールホモポリマーとの第２のブレンドを含み、前記第１のブレンドが、前記第２のブレンドと化学的に異なっている、請求項１〜８のいずれか一項に記載の水溶性単位用量物品。
【請求項１０】
前記第１の水溶性樹脂が、前記第１の水溶性樹脂の約１重量％〜約７０重量％の、アニオン性モノマー単位を含む前記ポリビニールアルコールコポリマーと、前記第１の水溶性樹脂の約３０重量％〜約９９重量％の前記ポリビニールアルコールホモポリマーと、を含む、請求項９に記載の水溶性単位用量物品。
【請求項１１】
前記第１の水溶性樹脂が、前記第１の水溶性樹脂の約１０重量％〜約７０重量％、又は約１５重量％〜６５重量％未満、又は約２０重量％〜約５０重量％、又は約３０重量％〜約４０重量％の、アニオン性モノマー単位を含む前記ポリビニールアルコールコポリマーと、前記第１の水溶性樹脂の約３０重量％〜約９０重量％、又は３５重量％超〜約８５重量％、又は約５０重量％〜約８０重量％、又は約６０重量％〜約７０重量％の前記ポリビニールアルコールホモポリマーと、を含む、請求項１０に記載の水溶性単位用量物品。
【請求項１２】
前記第２の水溶性樹脂が、前記第２の水溶性樹脂の約１重量％〜約７０重量％の、アニオン性モノマー単位を含む前記ポリビニールアルコールコポリマーと、前記第２の水溶性樹脂の約３０重量％〜約９９重量％の前記ポリビニールアルコールホモポリマーと、を含む、請求項９に記載の水溶性単位用量物品。
【請求項１３】
前記第２の水溶性樹脂が、前記第２の水溶性樹脂の約１０重量％〜約７０重量％、又は約１５重量％〜約６５重量％、又は約２０重量％〜約５０重量％、又は約３０重量％〜約４０重量％の、アニオン性モノマー単位を含む前記ポリビニールアルコールコポリマーと、前記第２の水溶性樹脂の約３０重量％〜約９０重量％、又は約３５重量％〜約８５重量％、又は約５０重量％〜約８０重量％、又は約６０重量％〜約７０重量％の前記ポリビニールアルコールホモポリマーと、を含む、請求項１２に記載の水溶性単位用量物品。
【請求項１４】
前記第１の水溶性樹脂が、前記第１の水溶性樹脂の約１０重量％〜約３２重量％の、アニオン性モノマー単位を含む前記ポリビニールアルコールコポリマーを含み、前記第２の水溶性樹脂が、前記第２の水溶性樹脂の約３３重量％〜約５０重量％の、アニオン性モノマー単位を含む前記ポリビニールアルコールコポリマーを含む、請求項９に記載の水溶性単位用量物品。
【請求項１５】
前記第１の水溶性樹脂が、存在するポリビニールアルコールコポリマー全体に対して約２モル％〜約８モル％、又は約３モル％〜約５モル％、又は約１モル％〜約４モル％の前記アニオン性モノマー単位を含む少なくとも１種のポリビニールアルコールコポリマーを含む、請求項９に記載の水溶性単位用量物品。
【請求項１６】
前記第２の水溶性樹脂が、存在するポリビニールアルコールコポリマー全体に対して約２モル％〜約８モル％、又は約３モル％〜約５モル％、又は約１モル％〜約４モル％の前記アニオン性モノマー単位を含む少なくとも１種のポリビニールアルコールコポリマーを含む、請求項９に記載の水溶性単位用量物品。
【請求項１７】
前記第１の水溶性樹脂が、存在するポリビニールアルコールコポリマー全体に対して約１モル％〜約３モル％の前記アニオン性モノマー単位を含む少なくとも１種のポリビニールアルコールコポリマーを含み、前記第２の水溶性樹脂が、存在するポリビニールアルコールコポリマー全体に対して約４モル％〜約８モル％の前記アニオン性モノマー単位を含む少なくとも１種のポリビニールアルコールコポリマーを含む、請求項９に記載の水溶性単位用量物品。
【請求項１８】
前記第１の水溶性フィルムが、前記水溶性単位用量物品に組み込まれる前に熱成形されている、請求項１〜１７のいずれか一項に記載の水溶性単位用量物品。
【請求項１９】
前記第２の水溶性フィルムが、前記水溶性単位用量物品に組み込まれる前に熱成形されていない、請求項１〜１８のいずれか一項に記載の水溶性単位用量物品。
【請求項２０】
前記アニオン性モノマー単位が、ビニル酢酸、アルキルアクリレート、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、及びそれらの組み合わせに由来するアニオン性モノマーからなる群から選択され、好ましくは、前記アニオン性モノマー単位が、マレイン酸、マレイン酸モノアルキル、マレイン酸ジアルキル、無水マレイン酸、それらのアルカリ金属塩、それらのエステル、及びそれらの組み合わせに由来するアニオン性モノマー単位からなる群から選択される、請求項１〜１９のいずれか一項に記載の水溶性単位用量物品。
【請求項２１】
前記第１の水溶性フィルム及び前記第２の水溶性フィルムはそれぞれ独立して、前記フィルムの約３０重量％〜約９０重量％、又は約４０重量％〜約８０重量％、又は約５０重量％〜約７５重量％、又は約６０重量％〜約７０重量％の水溶性樹脂を含む、請求項１〜２０のいずれか一項に記載の水溶性単位用量物品。
【請求項２２】
前記第１の水溶性フィルム及び前記第２の水溶性フィルムはそれぞれ独立して、約４０マイクロメートル〜約１００マイクロメートル、又は約６０マイクロメートル〜約９０マイクロメートル、又は約７０マイクロメートル〜約８０マイクロメートルの前記水溶性単位用量物品に組み込む前の厚さを有する、請求項１〜２１のいずれか一項に記載の水溶性単位用量物品。
【請求項２３】
前記第１の水溶性フィルムと前記第２の水溶性フィルムとの間の厚さの差が、約５０％未満、又は約３０％未満、又は約２０％未満、又は約１０％未満である、請求項１〜２２のいずれか一項に記載の水溶性単位用量物品。
【請求項２４】
前記第１の水溶性フィルム又は前記第２の水溶性フィルムのうちの少なくとも１つが、嫌悪剤を含む、請求項１〜２３のいずれか一項に記載の水溶性単位用量物品。
【請求項２５】
前記水溶性単位用量物品が、少なくとも２つの封止された区画、又は少なくとも３つの封止された区画を含み、第２の区画が、第１の区画の上に重ねられている、請求項１〜２４のいずれか一項に記載の水溶性単位用量物品。
【請求項２６】
前記単位用量物品が、上フィルムと、中フィルムと、下フィルムと、を含み、前記上及び下フィルムが、前記第１の水溶性フィルムを含み、前記中フィルムが、前記第２の水溶性フィルムを含む、請求項１〜２５のいずれか一項に記載の水溶性単位用量物品。
【発明の詳細な説明】
【技術分野】
【０００１】
本開示は、少なくとも１つの区画に水溶性フィルムによって少なくとも部分的に密閉されている、化学的に異なる水溶性フィルムの組み合わせから製造され、家庭用ケア組成物を収容する水溶性単位用量物品に関する。
【背景技術】
【０００２】
送達される材料の分散、注入、溶解、及び投入を簡素化するために、水溶性のポリマーフィルムが包装材料として広く使用されている。例えば、水溶性フィルムから製造された水溶性単位用量物品は一般に、家庭用ケア組成物、例えば、洗濯洗剤又は食器用洗剤を収容するパウチを包装するために使用される。消費者は、バケツ、流し又は洗濯機などの混合容器に水溶性単位用量物品を直接加えることができる。有利には、これにより、正確な用量が提供されると同時に、消費者が組成物を測定する必要性が排除される。水溶性単位用量物品はまた、例えば、ボトルから液体洗濯洗剤を注ぐといったような、容器から同様の組成物を分配するのに付き物である厄介さを低減することができる。水溶性単位用量物品はまた、その中の組成物がユーザーの手と接触するのを隔離する。要約して言えば、予め計量された剤を収容する水溶性単位用量物品は、種々の用途における消費者の使用利便性を提供する。
【０００３】
水溶性単位用量物品を製造するために使用される一部の水溶性ポリマーフィルムは、洗浄サイクルの間の溶解が不完全であり、洗浄液中の品物の上にフィルム残留物が残ることがある。このような問題は、パウチを冷水中（例えば、５℃、及び／又は最大１０℃若しくは１５℃ぐらいの低温の水）で、短い洗浄サイクルで、及び／又は低水位洗浄サイクル（例えば、約３Ｌ〜約２０Ｌの洗浄液）で、使用する場合などの、ストレスのかかった洗浄条件下で水溶性単位用量物品が使用される場合に、特に発生する可能性がある。とりわけ、環境問題及びエネルギーコストによって、消費者はより低温の洗浄水及びより短い洗浄サイクルの使用を望むようになっている。
【０００４】
水溶性単位用量物品を製造するために使用される一部の水溶性ポリマーフィルムは、洗浄サイクル中に完全に溶解するが、水分に対して非常に実質的であるのでフィルムは、高湿条件にさらされるとべとべとになり、製造中に、又は輸送中、倉庫、若しくは消費者の家庭において容器に貯蔵する際に、そのような高湿条件にさらされると、それからなる水溶性単位用量物品を一緒にべたつかせる。
【０００５】
更に、水溶性単位用量物品は、製造直後及び貯蔵時の両方で、包装、輸送、貯蔵、及び使用中に加えられ得る力に耐えるために、適切な強度を有していなければならないことが望ましい。適切な強度は、パウチが、洗濯洗剤などの液体組成物をカプセル化し、意図しない破裂及び／又は漏れを回避するために特に好適であり得る。
【発明の概要】
【発明が解決しようとする課題】
【０００６】
良好な水溶性、低減した粘着、好適なパウチ強度、耐化学性、そこから形成されたフィルム若しくは水溶性単位用量物品と接触する洗濯用活性成分若しくは他の組成物との化学的及び物理的適合性、並びに／又は熱成形時及び／若しくは適切な封止時の変形性などの所望の機械的特性の所望の特性を有する、水溶性フィルム及びパウチなどの水溶性単位用量物品が必要とされている。本開示による水溶性単位用量物品が、最適な水溶性及び低減された粘着性を呈することが判明した。
【課題を解決するための手段】
【０００７】
本開示は、少なくとも１つの家庭用ケア組成物を含む少なくとも１つの封止された区画を含む水溶性単位用量物品に関し、その水溶性単位用量物品は、第１の水溶性フィルム及び第２の水溶性フィルムを含み、第１のフィルムは、第２のフィルムに封止されて、少なくとも１つの封止された区画を形成し、第１の水溶性フィルムは、フィルムのアニオン含有量に関して第２の水溶性フィルムと化学的に異なる。
【０００８】
本開示はまた、このパウチの製造方法及び使用方法にも関する。
【図面の簡単な説明】
【０００９】
本明細書の図面は、事実上例示的なものであり、制限的であることを意図したものではない。
【図１】単位用量物品強度試験及びシール不良試験の基本構成の概略図を示す。
【図２】パウチの側断面図を示す。
【図３】複数区画パウチを示す。
【発明を実施するための形態】
【００１０】
用語の定義
本明細書において使用する場合、特許請求の範囲で使用されるときの「ａ」及び「ａｎ」という冠詞は、特許請求又は記載されているもののうちの１つ又は２つ以上を意味すると理解される。本明細書において使用する場合、「含む（include）」、「含む（includes）」、及び「含んでいる（including）」という用語は、非限定的であることを意味する。本開示の組成物は、本開示の成分を含み、それらから本質的になり、又はそれらからなることができる。
【００１１】
本明細書では、用語「実質的に含まない（substantially free of）」又は「実質的に含まない（substantially free from）」が使用され得る。これは、指示される物質が最小限の量であり、組成物の一部を形成するように意図的に組成物に添加されない、又は、好ましくは、分析的に検出可能な濃度で存在しないことを意味する。それは、示された材料が意図的に含まれる他の材料の１つの中に不純物としてのみ存在する、組成物を含むことを意味する。示された材料は、もしある場合は、組成物の１重量％未満、又は０．１重量％未満、又は０．０１重量％未満、又は更には０重量％のレベルで存在してもよい。
【００１２】
本開示の水溶性単位用量物品は、組成物、例えば、家庭用ケア組成物を収容してもよい。組成物は、液体、固体、又はこれらの組み合わせから選択することができる。本明細書において使用する場合、「液体」は、自由流動性液体、並びにペースト、ゲル、泡、及びムースを含む。液体の非限定的な例には、軽質及び重質液体洗剤組成物、布地柔軟剤、洗濯で一般に使用される洗剤ゲル、漂白剤及び洗濯添加剤が挙げられる。気体（例えば、懸濁気泡）又は固体（例えば、粒子）は、液体に含まれてもよい。本明細書において使用する場合、「固体」は、粉末、粒塊、及びこれらの混合物を含むが、これらに限定されない。固体の非限定的な例としては、顆粒、マイクロカプセル、ビーズ、ヌードル、及び真珠光沢ボールが挙げられる。固体組成物は、洗浄中の利点、前処理の利点、及び／又は審美的効果であるがこれらに限定されない技術的利点を提供することができる。
【００１３】
本明細書において使用する場合、「ホモポリマー」という用語は、一般に単一タイプのモノマー繰り返し単位を有するポリマー（例えば、単一モノマー繰り返し単位からなる、又は本質的になるポリマー鎖）を含む。ポリビニールアルコール（ＰＶＯＨ）の特定の場合では、「ホモポリマー」（又は「ＰＶＯＨホモポリマー」若しくは「ＰＶＯＨポリマー」）なる用語には、加水分解度に応じてビニルアルコールモノマー単位と酢酸ビニルモノマー単位の一定の分布を有するコポリマーが更に含まれる（例えば、ビニルアルコールモノマー単位と酢酸ビニルモノマー単位で構成された、又は本質的に構成されたポリマー鎖）。限定的な１００％加水分解の場合、ＰＶＯＨホモポリマーは、ビニルアルコール単位のみを有する真のホモポリマーを含むことができる。
【００１４】
本明細書において使用する場合、「コポリマー」という用語は、一般に２つ以上のタイプのモノマー繰り返し単位を有するポリマー（例えば、ランダムコポリマー、ブロックコポリマーなどであるかどうかに関わらず、２つ以上の異なるモノマー繰り返し単位からなる、又は本質的になるポリマー鎖）を含む。特にＰＶＯＨの場合、「コポリマー」（又は「ＰＶＯＨコポリマー」）という用語は、加水分解度に応じて、ビニルアルコールモノマー単位及びビニルアセテートモノマー単位の分布、並びに少なくとも１つの他のタイプのモノマー繰り返し単位を有するコポリマー（例えば、ビニルアルコールモノマー単位、ビニルアセテートモノマー単位、及び１つ以上の他のモノマー単位、例えばアニオン性モノマー単位からなる、又は本質的になるター−（又はそれ以上）ポリマー鎖）を更に含む。限定的な１００％加水分解の場合、ＰＶＯＨコポリマーは、ビニルアルコール単位及び１つ以上の他のモノマー単位を有するコポリマーを含み得るが、ビニルアセテート単位を含まない。
【００１５】
特に明記しない限り、成分又は組成物の濃度は全て、当該成分又は組成物の活性部分に関するものであり、かかる成分又は組成物の市販の供給源中に存在し得る不純物、例えば、残留溶剤又は副生成物は除外される。
【００１６】
本明細書における全ての温度は、特に断らない限り、摂氏（℃）を単位とする。特に規定がない限り、本明細書における全ての測定は、２０℃、大気圧下、及び５０％の相対湿度で行う。
【００１７】
本開示において、全ての百分率は、特に記載のない限り、全組成物の重量を基準としている。別途記載のない限り、全ての比は重量比である。
【００１８】
本明細書の全体を通して記載される全ての最大数値限定は、それよりも小さい全ての数値限定を、かかるより小さい数値限定があたかも本明細書に明確に記載されているかのように含むものと理解すべきである。本明細書の全体を通して示される全ての最小数値限定は、それよりも高い全ての数値限定を、このようなより高い数値限定があたかも本明細書に明確に記載されているかのように包含する。本明細書の全体を通して示される全ての数値範囲は、このような広い数値範囲内に収まるより狭い全ての数値範囲を、このようなより狭い数値範囲が全てあたかも本明細書に明確に記載されているかのように包含する。
【００１９】
水溶性単位用量物品
本明細書に記載の水溶性単位用量物品は、単位用量物品が水溶性フィルムによって取り囲まれた少なくとも１つの内部区画を含むような形状の、第１の水溶性フィルム及び第２の水溶性フィルムを含む。水溶性フィルムは、内部区画を画定するように、かつ洗剤組成物が貯蔵中に区画から漏れないように互いに封止されている。しかし、水溶性単位用量物品を水に添加すると、水溶性フィルムが溶解して、内部区画の内容物が洗浄液中に放出される。水溶性単位用量物品は、パウチであってもよい。
【００２０】
２枚のフィルムが交わり、共に封止されている区域は、封止区域と呼ばれる。多くの場合、封止区域は、第２の水溶性フィルムの区域に封止された第１の水溶性フィルムの区域を含み、概して単位用量物品の本体から外に突出する「スカート」又は「フランジ」を含む。単位用量物品の好ましい作製方法は、以下により詳細に記載されている。
【００２１】
区画は、洗剤組成物を保持する、単位用量物品内の閉じた内部空間を意味すると理解されるべきである。製造中に、本発明による第１の水溶性フィルムは、洗剤組成物が中に追加される開口区画を含むように形成されてもよい。次に、区画の開口部を閉じる向きで、第１のフィルムを本発明による第２の水溶性フィルムで覆う。次に、封止領域に沿って第１及び第２のフィルムを１つにして封止する。
【００２２】
単位用量物品は、２つ以上の区画、更には少なくとも２つの区画、又は更には少なくとも３つの区画を含んでもよい。区画は、重ね合わせる向きに、すなわち、一方が他方の上に位置するように配置してもよい。そのような向きにおいて、単位用量物品は、上、中及び下の３枚のフィルムを含む。好ましくは、中フィルムは、本発明による第２の水溶性フィルムに相当し、上及び下フィルムは、本発明による第１の水溶性フィルムに相当する。あるいは、区画は、横並びの向きに、すなわち、一方が他方に隣接する向きに位置してもよい。更に、区画は、「タイヤとリム」の配置の向きとしてもよく、すなわち、第１の区画が第２の区画に隣接して位置するが、第１の区画が第２の区画を少なくとも部分的に取り囲み、しかし、第２の区画を完全には囲まない。あるいは、１つの区画が別の区画内に完全に囲まれてもよい。そのような複数区画の方向において、本発明による第１の水溶性フィルムは、洗剤組成物が中に追加される開口区画を含むように形成されてもよい。次に、区画の開口部を閉じる向きで、第１のフィルムを本発明による第２の水溶性フィルムで覆う。
【００２３】
単位用量物品が少なくとも２つの区画を含む場合、区画のうちの１つが他の区画より小さくてもよい。単位用量物品が少なくとも３つの区画を含む場合、区画のうちの２つが第３の区画より小さくてもよく、好ましくは小さい方の区画が大きい方の区画の上に重ね合わせられていてよい。重ね合わせた区画は、好ましくは横並びに向く。
【００２４】
複数区画の方向において、本発明による洗剤組成物が区画の少なくとも１つの内に含まれてもよい。例えば、洗剤組成物は、１つの区画のみに含まれてもよく、又は２つの区画、又は更には３つの区画に含まれていてもよい。
【００２５】
各区画は、同一の組成物を含んでも、異なる組成物を含んでもよい。異なる組成物は全て同じ形態であってもよいし、異なる形態であってもよい。
【００２６】
水溶性単位用量物品は、少なくとも２つの内部区画を含んでもよく、液体洗濯洗剤組成物がこの区画のうちの少なくとも１つの中に含まれ、好ましくは、単位用量物品は少なくとも３つの区画を含み、その洗剤組成物がこの区画のうちの少なくとも１つの中に含まれる。
【００２７】
第１及び第２の水溶性フィルム
水溶性単位用量物品は、第１の水溶性フィルム及び第２の水溶性フィルムを含み、第１の水溶性フィルム及び第２の水溶性フィルムは、互いに化学的に異なる。
【００２８】
誤解を避けるために、本発明の文脈において本明細書の「化学的に異なる」とは、「バージンフィルム」、すなわち、供給元／メーカーから受け取って、単位用量物品作製ユニットで解く前のフィルムが、フィルム組成物のうち少なくとも１つに存在する、第１と第２のフィルム組成物を区別し、本明細書に記載の試験方法（複数可）で保水量、引張弾性率、及び破断点引張強さなどのフィルムの物理特性のうち少なくとも１つに影響を与える少なくとも１つの物質を有し、第１のフィルムと第２のフィルムとの間で異なるこの物理的なフィルム特性を少なくとも１つ表すことを意味する。自然な製造プロセス、すなわちバッチ間変動によるフィルムの異なる化学組成は、本発明の範囲内で化学的に異なるフィルムと見なされないようなものである。
【００２９】
物質の化学的な差異を生じさせることの非限定的な例としては、異なる高分子ターゲット樹脂及び若しくは含有量、異なる可塑剤組成物及び若しくは含有量、又は異なる界面活性剤及び若しくは含有量の使用が挙げられる。水溶性単位用量物品は、フィルムの厚さだけが異なるフィルムなど、物理特性だけが異なるが同じ物質含有量を有するフィルムは、本発明の範囲外と見なされる。コーティング層の有無によってのみ差異を生じるフィルムから製造された単位用量物品もまた、本発明の範囲外と見なされる。
【００３０】
好ましくは、第１の水溶性フィルムは、単位用量物品の製造中に熱成形される。「熱成形」とは、本明細書において、フィルムが変形前に、例えば、フィルムに赤外線ランプの下を通過させることによって加熱されることを意味し、変形工程は好ましくは、水溶性フィルムを空洞にかぶせること、及びフィルムの下の空洞内に真空又は圧力下を適用することによって可能になる。第２の水溶性フィルムは、単位用量物品の製造中に熱成形されてもよい。あるいは、第２の水溶性フィルムは、単位用量物品の製造中に熱成形されなくてもよい。好ましくは、第１の水溶性フィルムは、単位用量物品の製造中に熱成形され、第２の水溶性フィルムは、単位用量物品の製造中に熱成形されない。
【００３１】
第１の水溶性フィルム及び第２の水溶性フィルムは、単位用量物品に組み込む前に４０マイクロメートル〜１００マイクロメートル、好ましくは６０マイクロメートル〜９０マイクロメートル、より好ましくは７０マイクロメートル〜８０マイクロメートルの厚さを独立して有してもよい。
【００３２】
好ましくは、第１の水溶性フィルムと第２の水溶性フィルムとの間の単位用量物品に組み込む前の厚さの差は、５０％未満、好ましくは３０％未満、より好ましくは２０％未満、更により好ましくは１０％未満であるか、又は厚さは等しくてもよい。
【００３３】
発明による第１の水溶性フィルム及び第２の水溶性フィルムは、好ましくは単一層フィルムであり、より好ましくは溶媒キャスト法によって製造される。
【００３４】
本明細書に記載の第１の水溶性フィルム及び／又は第２の水溶性フィルムは、アニオン性モノマー単位を含むポリマー、例えば、ＰＶＯＨポリマーを含んでもよい。第１の水溶性フィルム及び／又は第２の水溶性フィルムに存在するアニオン性モノマー単位の量は、アニオン含有量に関して表されてもよい。第１の水溶性フィルムは、第１のアニオン含有量を有してもよく、第２の水溶性フィルムは、第２のアニオン含有量を有してもよい。第１のアニオン含有量は、第２のアニオン含有量と異なってもよい。「アニオン含有量」とは、例えば、フィルム中のＰＶＯＨポリマーの総量（例えば、ホモポリマー及びコポリマーを含むＰＶＯＨポリマーの合計）と比較したアニオン性モノマー単位のモル含有量（モル％）としてなど、フィルムのＰＶＯＨポリマーに存在するアニオン性モノマー単位を意味する。アニオン性モノマー単位の量は、例えば、ＰＶＯＨコポリマーなどポリマー中のアニオン性モノマー単位のモル含有量（例えば、モル％として表される）を特徴とすることができる。１種類以上のアニオン性モノマー単位は、ＰＶＯＨコポリマー中に、個々に又は合わせて、約１モル％〜約１０モル％、又は約２モル％〜約８モル％、又は約２モル％〜約６モル％、又は約３モル％〜約６モル％、又は約１モル％〜約４モル％、又は約３モル％〜約５モル％、又は約３．５モル％〜約４．５モル％、又は約４モル％〜約４．５モル％の範囲の量で存在してよい。アニオン性モノマー単位は、ＰＶＯＨコポリマー中に、少なくとも約３．０モル％、少なくとも約３．５モル％、少なくとも約４．０モル％、及び／又は最大約６．０モル％、最大約５．５モル％、最大約５．０モル％、若しくは最大約４．５モル％の量で存在してもよい。
【００３５】
本明細書に開示した水溶性単位用量物品は、第１のアニオン含有量を含む第１の水溶性フィルム、及び第２のアニオン含有量を含む第２の水溶性フィルムを含んでもよく、ここで第１のアニオン含有量は、第２のアニオン含有量より大きい。第１のアニオン含有量と第２のアニオン含有量との間の差は、約０．０５モル％〜約４モル％、又は約０．１モル％〜約２モル％、又は約０．２モル％〜約１モル％である。第１のアニオン含有量は、第１のタイプのアニオン性モノマー単位を含んでもよく、第２のアニオン含有量は、第２のタイプのアニオン性モノマー単位を含んでもよい。
【００３６】
第１の水溶性フィルム及び第２の水溶性フィルムは、フィルム中のＰＶＯＨポリマーの総量と比較して約０モル％〜約１０モル％のアニオン性モノマー単位を独立して含んでもよい。第１の水溶性フィルム及び第２の水溶性フィルムは、フィルム中のＰＶＯＨポリマーの総量と比較して少なくとも約０．２５モル％、少なくとも約０．５モル％、少なくとも約０．７５モル％、少なくとも約１．０モル％、少なくとも約１．２５モル％、若しくは少なくとも約１．５モル％、及び／又は最大約７．５モル％、最大約５．０モル％、最大約４．０モル％、最大約３．０モル％、最大約２．０モル％、若しくは最大約１．５モル％のアニオン性モノマー単位を独立して含んでもよい。例えば、第１のＰＶＯＨポリマーがアニオン性モノマー単位４モル％を含むコポリマーであり、第２のＰＶＯＨポリマーがホモポリマーである２種類のＰＶＯＨポリマーの５０重量％／５０重量％のブレンドを含むフィルムに関して、アニオン含有量は、ＰＶＯＨポリマー全体の約２．０モル％である。又は、例えば、第１のＰＶＯＨポリマーがアニオン性モノマー単位４モル％を含むコポリマーであり、第２のＰＶＯＨポリマーがアニオン性モノマー単位２モル％を含むコポリマーである２種類のＰＶＯＨポリマーの５０重量％／５０重量％のブレンドを含むフィルムに関して、アニオン含有量は、ＰＶＯＨポリマー全体の約３．０モル％である。又は、例えば、アニオン性モノマー単位４モル％を含むＰＶＯＨコポリマーを１００重量％含むフィルムに関して、アニオン含有量は、ＰＶＯＨポリマー全体の約４．０モル％である。
【００３７】
したがって、第１のＰＶＯＨポリマーがアニオン性モノマー単位を含むコポリマーであり、第２のＰＶＯＨポリマーがホモポリマーである２種類のＰＶＯＨポリマーのブレンドを含むフィルムに関して、フィルムのアニオン含有量は、コポリマー中のアニオン性モノマー単位モル％の増加又はコポリマー／ホモポリマーのブレンド中のコポリマーの重量％の増加によって増加し得る。
【００３８】
ＰＶＯＨコポリマーは、２種以上のアニオン性モノマー単位を含むことができる。好ましくは、ＰＶＯＨコポリマーは、単一タイプのアニオン性モノマー単位を含む。
【００３９】
アニオン性モノマー単位は、ビニル酢酸、アルキルアクリレート、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、及びそれらの組み合わせに由来するアニオン性モノマーからなる群から選択され得る。
【００４０】
好ましくは、アニオン性モノマー単位は、マレイン酸、マレイン酸モノアルキル、マレイン酸ジアルキル、無水マレイン酸、それらのアルカリ金属塩、それらのエステル、及びそれらの組み合わせに由来するアニオン性モノマーからなる群から選択される。
【００４１】
より好ましくは、アニオン性モノマー単位は、マレイン酸、マレイン酸モノメチル、マレイン酸ジメチル、無水マレイン酸（maleic anyhydride）、それらのアルカリ金属塩、それらのエステル、及びそれらの組み合わせに由来するアニオン性モノマーからなる群から選択される。
【００４２】
第１の水溶性フィルムは、第１の水溶性樹脂を含んでもよく、第２の水溶性フィルムは、第２の水溶性樹脂を含んでもよい。第１の水溶性樹脂は、第２の水溶性樹脂と化学的に異なってもよい。好ましくは、第１の水溶性樹脂又は第２の水溶性樹脂のうちの少なくとも１つが、アニオン性モノマー単位を含む少なくとも１種のポリビニールアルコールコポリマーを含むという条件で、第１の水溶性樹脂は、少なくとも１種のポリビニールアルコールホモポリマー若しくは少なくとも１種のポリビニールアルコールコポリマー又はそれらのブレンドを含み、第２の水溶性樹脂は、少なくとも１種のポリビニールアルコールホモポリマー若しくは少なくとも１種のポリビニールアルコールコポリマー又はそれらのブレンドを含む。
【００４３】
第１の水溶性樹脂は、ポリビニールアルコールホモポリマー及びアニオン性モノマー単位を含むポリビニールアルコールコポリマーのブレンドを含んでもよく、好ましくは、ブレンドは、第１の水溶性樹脂の約０重量％〜約７０重量％の、アニオン性モノマー単位を含むポリビニールアルコールコポリマー、及び第１の水溶性樹脂の約３０重量％〜約１００重量％のポリビニールアルコールホモポリマーを含み、より好ましくは、ブレンドは、第１の水溶性樹脂の全重量に基づいて、約１０％〜約７０％、更により好ましくは約１５％〜６５％未満，更により好ましくは約２０％〜約５０％、最も好ましくは約３０％〜約４０％の、アニオン性モノマー単位を含むポリビニールアルコールコポリマー、及び第１の水溶性樹脂の約３０重量％〜約９０重量％、又は３５重量％超〜約８５％、又は約５０重量％〜約８０重量％、又は約６０重量％〜約７０重量％のポリビニールアルコールホモポリマーを含む。ポリビニールアルコールコポリマーは、ポリビニールアルコールホモポリマーの濃度と共に合計して１００％になる濃度で存在し得る。
【００４４】
第２の水溶性樹脂は、ポリビニールアルコールホモポリマー及びアニオン性モノマー単位を含むポリビニールアルコールコポリマーのブレンドを含んでもよく、好ましくは、ブレンドは、フィルム中の第２の水溶性樹脂の全重量に基づいて、約０％〜約７０％の、アニオン性モノマー単位を含むポリビニールアルコールコポリマー及び約３０％〜約１００％のポリビニールアルコールホモポリマーを含み、より好ましくは、ブレンドは、フィルム中の第２の水溶性樹脂の全重量に基づいて、約１０％〜約７０％、更により好ましくは約１５％〜約６５％、更により好ましくは約２０％〜約５０％、最も好ましくは約３０％〜約４０％の、アニオン性モノマー単位を含むポリビニールアルコールコポリマー及び第２の水溶性樹脂の約３０重量％〜約９０重量％、又は約３５重量％〜約８５重量％、又は約５０重量％〜約８０重量％、又は約６０重量％〜約７０重量％のポリビニールアルコールホモポリマーを含む。ポリビニールアルコールコポリマーは、ポリビニールアルコールホモポリマーの濃度と共に合計して１００％になる濃度で存在し得る。
【００４５】
第１の水溶性樹脂及び第２の水溶性樹脂はまた、アニオン性モノマー単位を含む異なるポリビニールアルコールコポリマーも含んでもよい。
【００４６】
好ましくは、第１の水溶性フィルムの少なくとも１種のポリビニールアルコールホモポリマー又は少なくとも１種のポリビニールアルコールコポリマー又はそれらのブレンド及び第２の水溶性フィルムの少なくとも１種のポリビニールアルコールホモポリマー又は少なくとも１種のポリビニールアルコールコポリマー又はそれらのブレンドは、２５℃の脱塩水における４％溶液粘度を４ｃＰ〜４０ｃＰ、好ましくは１０ｃＰ〜３０ｃＰ、より好ましくは１１ｃＰ〜２６ｃＰの範囲内で独立して有する。より好ましくは、第１の水溶性樹脂は、２５℃の脱塩水における４％溶液粘度を約８ｃＰ〜約４０ｃＰ、又は約１２ｃＰ〜約３０ｃＰ、又は約１４ｃＰ〜約２６ｃＰの範囲で有する少なくとも１種のポリビニールアルコールホモポリマー又は少なくとも１種のポリビニールアルコールコポリマー又はそれらのブレンドを含む、第２の水溶性樹脂は、２５℃の脱塩水における４％溶液粘度を約４ｃＰ〜約３５ｃＰ、又は約１０ｃＰ〜約２０ｃＰ、又は約１０ｃＰ〜約１５ｃＰ、又は約１１ｃＰ〜約１４ｃＰの範囲で有する少なくとも１種のポリビニールアルコールホモポリマー又は少なくとも１種のポリビニールアルコールコポリマー又はそれらのブレンドを含む。
【００４７】
好ましくは、第１の水溶性樹脂の少なくとも１種のポリビニールアルコールホモポリマー又は少なくとも１種のポリビニールアルコールコポリマー又はそれらのブレンドの２５℃の脱塩水における４％溶液粘度は、第２の水溶性樹脂の少なくとも１種のポリビニールアルコールホモポリマー又は少なくとも１種のポリビニールアルコールコポリマー又はそれらのブレンドの２５℃の脱塩水における４％溶液粘度より大きい。より好ましくは、第１の水溶性樹脂の少なくとも１種のポリビニールアルコールホモポリマー又は少なくとも１種のポリビニールアルコールコポリマー又はそれらのブレンドの２５℃の脱塩水における４％溶液粘度と、第２の水溶性樹脂の少なくとも１種のポリビニールアルコールホモポリマー又は少なくとも１種のポリビニールアルコールコポリマー又はそれらのブレンドの２５℃の脱塩水における４％溶液粘度との間の差は、約２ｃＰ、約２０ｃＰ、又は約３ｃＰ〜約１５ｃＰ、又は約４ｃＰ〜約１２ｃＰである。
【００４８】
「差」とは、本明細書において、第１の水溶性樹脂の少なくとも１種のポリビニールアルコールホモポリマー又は少なくとも１種のポリビニールアルコールコポリマー又はそれらのブレンドの２５℃の脱塩水における４％溶液粘度の値と、第２の水溶性樹脂の少なくとも１種のポリビニールアルコールホモポリマー又は少なくとも１種のポリビニールアルコールコポリマー又はそれらのブレンドの２５℃の脱塩水における４％溶液粘度の値との差を意味する。
【００４９】
第１の水溶性樹脂及び第２の水溶性樹脂がそれぞれ、ポリビニールアルコールホモポリマー及びアニオン性モノマー単位を含むポリビニールアルコールコポリマーのブレンドを含むとき、第１の水溶性樹脂のアニオン性モノマー単位を含むポリビニールアルコールコポリマーは、第１の粘度（μｃ１）を含んでもよく、第２の水溶性樹脂のアニオン性モノマー単位を含むポリビニールアルコールコポリマーは、第２の粘度（μｃ２）を有してもよく、第１の水溶性樹脂のポリビニールアルコールホモポリマーは、第１の粘度（μｈ１）を有してもよく、第２の水溶性樹脂のポリビニールアルコールホモポリマーは、第２の粘度（μｈ２）を有してもよく、第１の水溶性樹脂は、ブレンド粘度（μブレンド１）を有してもよく、第２の水溶性樹脂は、ブレンド粘度（μブレンド２）を有してもよい。ブレンド粘度は、重量平均であり、次のように計算することができる：ブレンド粘度＝ｅ＾（ｗ１（ｌｎ  μｃ１）＋ｗ２（ｌｎ  μｈ１））、式中ｅは、オイラー数であり、ｗは、対応する水溶性樹脂の総重量に基づく重量％である。また粘度差は、多くの方法で計算することができる：
（ｉ）｜μｃ１−ｃ２｜＞０、式中、μｈ２＝μｈ１；
（ｉｉ）｜μｈ１−μｈ２｜＞０、式中、μｃ２＝μｃ１；又は
（ｉｉｉ）｜μブレンド１−μブレンド２｜＞０。
【００５０】
好ましくは、第１のポリビニールアルコールホモポリマー及び第２のポリビニールアルコールホモポリマー並びに第１のポリビニールアルコールコポリマー及び第２のポリビニールアルコールコポリマーは、８０％〜９９％、好ましくは８５％〜９５％、より好ましくは８７％〜９３％の加水分解度を独立して有する。
【００５１】
好ましくは、第１の水溶性フィルム及び第２の水溶性フィルムは、フィルムの３０重量％〜９０重量％、より好ましくは４０重量％〜８０重量％、更により好ましくは５０重量％〜７５重量％、最も好ましくは６０重量％〜７０重量％の水溶性樹脂含有量を独立して有する。
【００５２】
第１の水溶性フィルムは、第１の保水量を有し、第２の水溶性フィルムは、第２の保水量を有し、第１の保水量は、第２の保水量未満である。
【００５３】
第１の水溶性フィルムの保水量と第２の水溶性フィルムの保水量との間の差は、０．０１％〜１％、好ましくは０．０３％〜０．５％、最も好ましくは０．０５％〜０．３％である。第１の水溶性フィルム及び第２の水溶性フィルムについて、以下により詳細に説明する。「差」とは、本明細書において、第１の保水量の値と第２の保水量の値とにおける差を意味する。「保水量」とは、本明細書において、試験するフィルムの質量増加として測定される、特定の相対湿度及び温度で一定期間にわたって水分を吸収するフィルムの容量を意味する。保水量を測定するための方法は、以下でより詳細に説明する。
【００５４】
好ましくは、第１の水溶性フィルムは、１％〜１０％、より好ましくは２％〜８％、最も好ましくは３％〜６％の保水量を有する。
【００５５】
好ましくは、第２の水溶性フィルムは、１．５％〜１２％、より好ましくは２．５％〜１０％、最も好ましくは３．５％〜８％の保水量を有する。
【００５６】
第１の水溶性フィルムは、３００％〜１６００％、好ましくは４００％〜１２００％、より好ましくは６００％〜１２００％の第１の引張破壊ひずみを有してもよい。引張破壊ひずみを判定する方法は、以下でより詳細に説明する。
【００５７】
第２の水溶性フィルムは、３００％〜１２００％、好ましくは５００％〜１０００％、より好ましくは５００％〜１０００％の第２の引張破壊ひずみを有してもよい。引張破壊ひずみとは、本明細書において、洗剤組成物をフィルム及び洗剤組成物を含む単位用量物品内のフィルムに接触させて予め平衡化させたフィルムの、応力が加わった際、破断する前に伸張する能力を意味する。引張破壊ひずみを判定する方法は、以下でより詳細に説明する。
【００５８】
第１の引張破壊ひずみと第２の引張破壊ひずみとの間の差は、１０％〜１０００％、好ましくは１００％〜７５０％、より好ましくは２００％〜５００％であってもよい。「引張破壊ひずみの差」とは、本明細書において、第１の引張破壊ひずみの値と第２の引張破壊ひずみの値とにおける差を意味する。
【００５９】
好ましくは、第１の水溶性フィルムは、第１の引張弾性率を有し、第２の水溶性フィルムは、第２の引張弾性率を有し、第１の引張弾性率は、第２の引張弾性率より大きく、第１の引張弾性率と第２の引張弾性率との間の差は、０．５ＭＰａ〜１０ＭＰａ、好ましくは１ＭＰａ〜８ＭＰａ、より好ましくは２ＭＰａ〜７ＭＰａである。
【００６０】
「差」とは、本明細書において、第１の引張弾性率の値と第２の引張弾性率の値とにおける差を意味する。「引張弾性率」とは、本明細書において、応力が加わった際に伸張するフィルムの能力を意味する。引張弾性率を測定するための方法は、以下でより詳細に説明する。
【００６１】
好ましくは、第１の引張弾性率は、１ＭＰａ〜２０ＭＰａ、より好ましくは３ＭＰａ〜２０ＭＰａである。
【００６２】
好ましくは、第２の引張弾性率は、１ＭＰａ〜１５ＭＰａ、より好ましくは３ＭＰａ〜１５ＭＰａである。
【００６３】
好ましくは、水溶性単位用量物品は、後述の単位用量物品機械洗い溶解試験方法により、６．２未満、好ましくは６未満、より好ましくは５．８未満の溶解プロファイルを呈する。
【００６４】
第１及び又は第２のフィルムは、独立して不透明でも、透明でも、半透明でもよい。第１及び又は第２のフィルムは、プリントされた領域を独立して含んでもよい。プリントされた領域は、フィルム表面の１０〜８０％、又は区画の内部空間と接触しているフィルム表面の１０〜８０％、又はフィルム表面の１０〜８０％及び区画表面の１０〜８０％に及んでいてよい。
【００６５】
プリント領域は、フィルムの連続した部分に及んでいても、連続した部分の一部、すなわちプリントの狭い方の領域に及んでいてもよく、その合計が、フィルム表面若しくは区画の内部空間と接触するフィルム表面、又はその両方の１０〜８０％を占める。
【００６６】
プリント領域はインク、顔料、染料、ブルーイング剤、又はこれらの混合物を含んでもよい。プリント領域は、不透明でも、半透明でも、透明でもよい。
【００６７】
プリント領域は、単色を含んでも、複数色、更には３色を含んでもよい。プリント領域は、白色、黒色、青色、赤色又はこれらの混色を含んでもよい。プリントは、フィルム表面上に層として存在しても、フィルム内に少なくとも部分的に浸透していてもよい。フィルムは、第１の面及び第２の面を含むものである。プリント領域は、フィルムの片面上に存在しても、フィルムの両面上に存在してもよい。あるいは、プリント領域は、フィルム本体内に少なくとも部分的に含まれていてよい。
【００６８】
プリント領域は、フレキソ印刷又はインクジェット印刷などの標準的な技術を使用して得ることができる。好ましくは、プリント領域は、フレキソ印刷を介して得られ、この場合、フィルムが印刷された後、開口区画の形状に成形される。次いで、この区画に洗剤組成物が充填され、区画上方に第２のフィルムが配置され、第１のフィルムと封止される。プリント領域は、フィルムの片面上にあっても、両面上にあってもよい。
【００６９】
あるいは、フィルムの全部又は少なくとも一部が着色されるように、インク又は顔料をフィルムの製造中に添加してもよい。
【００７０】
第１及び又は第２のフィルムは、嫌悪剤、例えば苦味剤を独立して含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ又は更には２５０〜２０００ｒｐｍが挙げられるが、これらに限定されない。
【００７１】
第１及び／又は第２のフィルムはまた、当業者によって典型的に周知されている、水、可塑剤、及び界面活性剤を含む他の活性成分も含んでもよい。
【００７２】
洗剤組成物
洗剤組成物は、流動性粉末、液体、コンパクト化された固形分、ゲル、又はそれらの混合物の形態であってよい。
【００７３】
洗剤組成物は、流動性粉末の形態であってよい。このような流動性粉末は、１００マイクロメートル〜１５００マイクロメートル、好ましくは１００マイクロメートル〜１０００マイクロメートル、より好ましくは１００マイクロメートル〜７５０マイクロメートルの平均粒径を有してもよい。当業者には、粒径を測定するための標準的な技法が理解されよう。洗剤組成物は、流動性洗濯洗剤組成物であってもよい。
【００７４】
洗剤組成物は、液体であってもよい。本発明の液体洗剤組成物に関連して、用語「液体」は、このような分散液、ゲル、ペーストなどの形態を包含する。また、液体組成物は、好適に細分された形態の気体を含んでもよい。しかし、液体組成物は、錠剤又は顆粒などの全体が非液体である形態を除外する。
【００７５】
洗剤組成物は、液体洗濯洗剤組成物であり得る。用語「液体洗濯洗剤組成物」とは、家庭用洗濯機で布地を濡らし、処理することができる、例えば、衣類を清浄化することができる液体を含む任意の洗濯洗剤組成物を指す。
【００７６】
洗濯洗剤組成物は、本洗浄プロセス中に使用されるが、前処理又は浸漬組成物としても使用され得る。
【００７７】
洗濯洗剤組成物としては、布地洗剤、布地柔軟剤、ツーインワン型洗剤入り柔軟剤、前処理組成物などが挙げられる。
【００７８】
洗濯洗剤組成物は、漂白剤、漂白触媒、染料、色相染料、増白剤、アルコキシル化ポリアミン及びポリエチレンイミンを含む洗浄用ポリマー、汚れ放出ポリマー、界面活性剤、溶剤、染料阻害剤、キレート剤、ビルダー、酵素、香料、カプセル化された香料、ポリカルボン酸塩、レオロジー変性剤、構造剤、ヒドロトロープ、色素及び染料、乳白剤、保存剤、抗酸化剤、加工助剤、カチオン性ポリマーを含むコンディショニングポリマー、抗菌剤、水酸化物及びアルカノールアミンなどのｐＨ調整剤（pH trimming agents）、抑泡剤、並びにこれらの混合物から選択される成分を含んでもよい。
【００７９】
界面活性剤は、アニオン性、カチオン性、双性イオン性、非イオン性、両性又はこれらの混合物から選択することができる。好ましくは、布地ケア組成物は、アニオン性、非イオン性又はこれらの混合物を含む。
【００８０】
アニオン性界面活性剤は、線状アルキルベンゼンスルホネート、アルキルエトキシレート硫酸塩、及びこれらの組み合わせから選択され得る。
【００８１】
本明細書で有用である好適なアニオン性界面活性剤は、液体洗剤製品で典型的に使用される従来のアニオン性界面活性剤のあらゆる種類を含むことができる。これらには、アルキルベンゼンスルホン酸及びこれらの塩、並びにアルコキシル化又は非アルコキシル化アルキルサルフェート物質が挙げられる。
【００８２】
非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、又はこれらの混合物から選択されてもよい。本明細書に用いるのに好適な非イオン性界面活性剤としては、アルコールアルコキシレート非イオン性界面活性剤が挙げられる。アルコールアルコキシレートは、一般式：Ｒ１（ＣｍＨ２ｍＯ）ｎＯＨ（式中、Ｒ１はＣ８〜Ｃ１６アルキル基であり、ｍは２〜４であり、ｎは約２〜１２の範囲である）に相当する材料である。一態様では、Ｒ１は、一級又は二級であってよく、約９〜１５個の炭素原子、又は約１０〜１４個の炭素原子を含むアルキル基である。１つの態様では、アルコキシル化脂肪族アルコールは、１分子当たり、平均で約２〜１２個のエチレンオキシド部分、又は１分子当たり、平均で約３〜１０個のエチレンオキシド部分を含有するエトキシル化材料である。
【００８３】
本発明の洗濯洗剤組成物に用いられるシェーディング染料は、ポリマー性又は非ポリマー性の染料、顔料、又はこれらの混合物を含み得る。好ましくは、シェーディング染料は、発色団成分及びポリマー性成分を含む、ポリマー性染料を含む。発色団成分は、光に曝露すると、青、赤、スミレ色、紫、又はこれらの組み合わせの範囲の波長の光を吸収するものであると特徴付けられる。一態様において、発色団成分は、水及び／又はメタノール中で最大約５２０ナノメートル〜約６４０ナノメートルの吸収スペクトルを示し、他の態様において、水及び／又はメタノール中で約５６０ナノメートル〜約６１０ナノメートルの吸収スペクトルを示す。
【００８４】
任意の好適な発色団を使用することができるが、染料発色団は、好ましくは、ベンゾジフラン、メチン、トリフェニルメタン、ナフタルイミド、ピラゾール、ナフトキノン、アントラキノン、アゾ、オキサジン、アジン、キサンテン、トリフェノジオキサジン、及びフタロシアニンの染料発色団から選択される。モノ及びジアゾ染料発色団が好適である。
【００８５】
染料は、有機合成経路の直接生成物である未精製混合物の形態で洗剤組成物に組み込まれてもよい。したがって、染料ポリマーに加えて、あらゆる重合工程の結果として生じることが予測される、少量の未反応出発物質、副反応生成物及び異なる鎖長の繰り返し単位を含む染料ポリマーの混合物も存在し得る。
【００８６】
洗濯洗剤組成物は、洗浄性能及び／又は布地ケア効果を提供する１つ又は２つ以上の洗浄性酵素を含んでもよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、プロテアーゼ、リパーゼ、クチナーゼ及び／又はセルラーゼのような従来の適用可能な酵素をアミラーゼと組み合わせた混液である。
【００８７】
本発明の洗濯洗剤組成物は、１つ以上の漂白剤を含み得る。漂白触媒以外の好適な漂白剤は、光触媒、漂白活性化剤、過酸化水素、過酸化水素源、予形成過酸、及びこれらの混合物を含む。
【００８８】
組成物は、増白剤を含み得る。好適な増白剤は、増白剤１５等のスチルベンである。他の好適な増白剤は、疎水性増白剤、及び増白剤４９である。光沢剤は、３マイクロメートル（μｍ）〜３０μｍ、又は３μｍ〜２０μｍ、又は３μｍ〜１０μｍの範囲内の重量平均粒径の微粉化微粒子形態でよい。光沢剤は、α又はβ結晶形態でもよい。
【００８９】
本明細書の組成物はまた、１つ又は２つ以上の銅、鉄、及び／又はマンガンキレート剤を任意選択的に含有してもよい。キレート剤は、１−ヒドロキシエタンジホスホン酸（ＨＥＤＰ）及びその塩、Ｎ，Ｎ−ジカルボキシメチル−２−アミノペンタン−１，５−二酸及びその塩、２−ホスホノブタン−１，２，４−トリカルボン酸及びその塩、並びにそれらの任意の組み合わせを含んでもよい。
【００９０】
本発明の組成物はまた、１種又は２種以上の移染防止剤を含んでもよい。好適なポリマー移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン、及びポリビニルイミダゾール、又はこれらの混合物が挙げられるが、これらに限定されない。
【００９１】
洗濯洗剤組成物は、１つ以上のポリマーを含み得る。好適なポリマーとしては、カルボキシレートポリマー、ポリエチレングリコールポリマー、テレフタレートポリマーなどのポリエステル汚れ放出ポリマー、アミンポリマー、セルロース系ポリマー、移染防止ポリマー、イミダゾールとエピクロロヒドリンとの縮合によって生成される縮合オリゴマーなどの染料固定ポリマー、任意選択的に１：４：１の比率で、ヘキサメチレンジアミン誘導体ポリマー、及びこれらの任意の組み合わせが挙げられる。
【００９２】
他の好適なセルロース系ポリマーは、０．０１〜０．９９の置換度（ＤＳ）と、ＤＳ＋ＤＢが少なくとも１．００であるか、又はＤＢ＋２ＤＳ−ＤＳ２が少なくとも１．２０であるかのいずれかとなるようなブロック度（ＤＢ）とを有し得る。置換セルロース系ポリマーは、少なくとも０．５５の置換度（ＤＳ）を有し得る。置換セルロース系ポリマーは、少なくとも０．３５のブロック度（ＤＢ）を有し得る。置換セルロース系ポリマーは、１．０５〜２．００のＤＳ＋ＤＢを有し得る。好適な置換セルロース系ポリマーは、カルボキシメチルセルロースである。
【００９３】
別の好適な置換セルロース系ポリマーは、カチオン変性ヒドロキシエチルセルロースである。
【００９４】
好適な香料としては、香料マイクロカプセル、シッフ塩基香料／ポリマー複合体を含むポリマー支援香料送達システム、デンプンにカプセル化された香料アコード、香料充填ゼオライト、ブルーミング香料のアコード、及びこれらの任意の組み合わせが挙げられる。好適な香料マイクロカプセルは、メラミンホルムアルデヒド系であり、典型的には、メラミンホルムアルデヒドを含むシェルによってカプセル化される香料を含む。このような香料マイクロカプセルは、ポリビニルホルムアミド（ＰＶＦ）及び／又はカチオン変性ヒドロキシエチルセルロース（ｃａｔＨＥＣ）などのカチオン性材料及び／又はカチオン性前駆体材料をシェル内に含むことが非常に好適であり得る。
【００９５】
好適な抑泡剤としては、シリコーン、及び／又はステアリン酸などの脂肪酸が挙げられる。
【００９６】
洗濯洗剤組成物は、着色され得る。液体洗濯洗剤組成物の色は、物品のフィルム上の任意の印刷領域と同じであっても異なっていてもよい。単位用量物品の各区画は、異なる色を有し得る。好ましくは、液体洗濯洗剤組成物は、少なくとも１６の平均アルコキシル化度を有する非直接染料を含む。
【００９７】
単位用量物品の少なくとも１つの区画は、固体を含み得る。存在するのであれば、固体は、単位用量物品の少なくとも５重量％の濃度で存在し得る。
【００９８】
単位用量物品の製造方法
当業者には、本発明の洗剤組成物を製造するためのプロセスが理解されよう。当業者には、この洗剤組成物を製造するための標準的なプロセス及び設備が理解されよう。
【００９９】
当業者には、本発明の任意の態様による単位用量物品を製造するための標準的な技法が理解されよう。熱成形及び真空成形技術を含むがこれらに限定されない標準的な形成プロセスを、利用することができる。
【０１００】
本発明による水溶性単位用量物品を製造する好ましい方法は、開放した空洞を形成するために型で第１の水溶性フィルムを成形する工程と、洗剤組成物で空洞を充填する工程と、第２のフィルムを第１のフィルムにかぶせて空洞を閉じる工程と、好ましくは溶剤シールによって第１及び第２のフィルムを一緒に封止する工程であって、この溶剤が好ましくは水を含む工程とを含んで、水溶性単位用量物品を製造する。
【０１０１】
試験プロトコル
１．単位用量物品機械洗い溶解試験方法
この方法は、ストレスのかかった洗濯機の条件下で洗濯用水溶性単位用量物品の関連する溶解特性を評価するように設計されている。この方法のために、Ｅｌｅｃｔｒｏｌｕｘのプログラム可能洗濯機タイプＷ５６５Ｈ、調整したＥＭＰＡ２２１負荷布（load）（ＥＭＰＡ２２１供給源：Ｓｗｉｓｓａｔｅｓｔ−ＳＷＩＳＳａｔｅｓｔ  ｔｅｓｔｓｍａｔｅｒｉａｌｓ，Ｍｏｖｅｎｓｔｒａｓｓｅ  １２  ＣＨ９０１５  Ｓｔ  Ｇａｌｌｅｎ，Ｓｗｉｔｚｅｒｌａｎｄ）及びＤｉｇｉｅｙｅ画像取得機器（ＶｅｒｉＶｉｄｅによるＤｉｇｉｅｙｅ）を使用した。
【０１０２】
調整したＥＭＰＡ２２１負荷布を、洗濯機染色用の市販の染色溶液（Ｄｙｌｏｎ  ｇｏｌｄｆｉｓｈ  ｏｒａｎｇｅ  ｗａｓｈｉｎｇ  ｍａｃｈｉｎｅ  ｄｙｅ（Ｎ°５５））を使用することによってオレンジに着色することによって準備した。負荷布を着色するために、４０℃で標準的な綿用サイクルを使用する任意の標準の家庭用洗濯機を使用することができる。５００ｇの塩及び２００ｇのＤｙｌｏｎ  ｇｏｌｄｆｉｓｈ  ｏｒａｎｇｅ  ｍａｃｈｉｎｅ  ｄｙｅを洗濯機のドラムに追加する。このようにして、塩及び染料が見えなくなるまでドラムを左右に動かした。２５個のＥＭＰＡ２２１単位体（５０ｃｍ×５０ｃｍの寸法、ほつれを防止するために縁部にかがり縫いをした）を、この単位体を折り畳まないで、結果的に均等にドラムにわたって分布させた。４０℃において標準綿用サイクルを、水硬度２５７ｐｐｍ（１５ｇｐｇ）で実行した。サイクルの完了後、５０ｇのＡｒｉｅｌ  Ｓｅｎｓｉｔｉｖｅ  ｐｏｗｄｅｒを、ディスペンサに追加し、４０℃において標準綿用サイクルを、水硬度２５７ｐｐｍ（１５ｇｐｇ）で実行した。このサイクルの完了後、４０℃において洗剤なしで２回の追加の標準綿用サイクルを、水硬度２５７ｐｐｍ（１５ｇｐｇ）で実行し、続けて単位体を吊り干しした。
【０１０３】
注意：新品のＥＭＰＡ２２１単位体は、フロントローディングＭｉｅｌｅ洗濯機に２５個の単位体を追加することと、６０℃において２回の短時間の綿用サイクル（約１時間３０分）を、５０ｇのＡｒｉｅｌ  Ｓｅｎｓｉｔｉｖｅ  ｐｏｗｄｅｒかつ水硬度２５７ｐｐｍ（１５ｇｐｇ）で実行することと、続けて６０℃において更に２回の短時間の綿用サイクル（約１時間３０分）を、洗剤なしかつ水硬度２５７ｐｐｍ（１５ｇｐｇ）で実行し、続けてタンブル乾燥することによって染色する前に湯通しする必要がある。
【０１０４】
Ｅｌｅｃｔｒｏｌｕｘ  Ｗ５６５プログラム可能洗濯機を、２つのプログラムでプログラミングした。第１のプログラムを、負荷布を同様に濡らすように設計した（プリウェットプログラム）。第２のプログラム（溶解プログラム）を利用して、１０分の西欧のストレスがかかったサイクル設定をシミュレーションし、続けて排水し、１１００ｒｐｍで３分の回転を開始した。
【０１０５】
【表１】
2019518674.tif 000003
【０１０６】
５０枚の染色したＥＭＰＡ２２１布地からなる負荷布（約２．４５ｋｇ）をＥｌｅｃｔｒｏｌｕｘ  ５６５洗濯機に均等に導入し、プリウェットプログラムを開始した。プリウェットプログラム後、６個の水溶性単位用量物品を、濡れた負荷布にわたって均等に分布させた。その後溶解プログラムを開始した。全プログラムの終わりに、濡れた負荷布を採点ルーム（Ｄ６５照明条件を備える）に移して（trasnferred）専門の採点者によって残留物を評価した。残りの洗剤又は過剰なＰＶＡのために変色スポットを有したそれぞれの布地を、画像解析用に負荷布から選択した。
【０１０７】
この画像解析は、Ｄｉｇｉ−Ｅｙｅカメラ（設定：「ｄ９０散乱光、シャッタータイム１／４、絞り８」）を使用して、選択した布地の両側の写真を取得することによって行なわれた。布地を、灰色又は黒色の背景に置いてコントラストを強調する必要がある。この後、画像を画像解析ソフトウェアによって評価して、負荷布内で検出された残留物の全体の規模を見積もった（画素カウント）。このツールは、デルタＥの閾値化（デルタＥが６）を使用して標準のバラストと異なる色であるスポットを識別することによって残留物を検出する。１つの機械及び負荷布について、負荷布中に存在する残留物の全区域を合計することによって残留物スコアを次に計算する。全残留物区域の対数値を計算し、４回の外部繰り返し、すなわち、４回の異なる洗濯機実行の平均を報告した。
【０１０８】
２．単位用量物品強度及びシール不良試験方法
本試験方法は、Ｉｎｓｔｒｏｎユニバーサル材料試験機（Ｉｎｓｔｒｏｎ  Ｉｎｄｕｓｔｒｉａｌ  Ｐｒｏｄｕｃｔｓ，８２５  Ｕｎｉｖｅｒｓｉｔｙ  Ａｖｅ．，Ｎｏｒｗｏｏｄ，ＭＡ  ０２０６２−２６４３）を用いて、最大１００ｋＮ（キロニュートン）のロードセルで単位用量物品強度及びシール不良を測定する手法について記載する。単位用量物品を圧縮することにより、この方法で、フィルム及び封止領域に加圧し、単位用量物品の全体的な強度（ニュートン）を測定する。単位用量物品強度（ニュートン）は、単位用量物品が破断する前に支持可能な最大荷重として定義される。２５０Ｎより低い圧力での封止区域における単位用量物品開口部は、シール不良として報告し、平均単位用量物品強度を決定する際に考慮に入れない。
【０１０９】
単位用量物品強度及びシール不良は、フィルム／単位用量物品が変形後に固定する時間を有するように単位用量物品製造の１時間後すぐに測定する。本方法は、３０〜４０％の相対湿度（ＲＨ）及び２０〜２３℃の間の室内環境で実施した。保管された単位用量物品は、試験に先立ち、１時間試験室環境に再平衡させることができた。
【０１１０】
図１は、単位用量物品強度試験及びシール不良試験の基本構成の概略図を示す。単位用量物品強度及びシール不良を測定するため、単位用量物品５１０をプラスチック脱気バッグ５００（クロージャ付き１５０ｍｍ×１２４ｍｍ、６０マイクロメートル厚、例えばＲａｊａグリップシールバッグＲＧＰ６Ｂ）中に密閉し、単位用量物品の破断による作業環境の汚染を防いだ。バッグ内への密閉後、単位用量物品５１０を試験機の２つの圧縮板５２０、５３０の間の中心に置く。単位用量物品５１０は、幅シール寸法５４０（例えば、封止区域をちょうど包含する画定された方形平面内の最小の寸法、試験された実際の単位用量物品で４１ｍｍ）が、負荷を幅シールに加えるように圧縮板間（ｘ方向）になるように直立位置に置かれる。圧縮時には、プレート５２０と５３０との間の距離を減少させる速度を６０ｍｍ／分に設定する。テストレッグごとに１０回の繰り返しを行い、平均の単位用量物品強度及びシール不良データを報告する。
【０１１１】
３．引張ひずみ試験及びｅ−弾性率試験
引張ひずみ（ＴＳ）試験に従った引張ひずみによって、及び弾性率（ＭＯＤ）試験に従ったｅ−弾性率（引張弾性率又は引張応力）を特徴とする、又はそれらについて試験される水溶性フィルムを、以下のように分析した。この手順は、ＡＳＴＭ  Ｄ  ８８２（「薄いプラスチックシートの引張特性の標準的試験方法」）に従って引張ひずみを測定すること、及びｅ−弾性率を測定することを含む。ＩＮＳＴＲＯＮ引張試験装置（モデル５５４４引張試験機又は同等のもの、Ｉｎｓｔｒｏｎ  Ｉｎｄｕｓｔｒｉａｌ  Ｐｒｏｄｕｃｔｓ，８２５  Ｕｎｉｖｅｒｓｉｔｙ  Ａｖｅ．，Ｎｏｒｗｏｏｄ，ＭＡ  ０２０６２−２６４３）を、フィルムデータの試料採集のために使用した。それぞれが信頼できるカッティングツール（例えば、Ｔｈｗｉｎｇ  Ａｌｂｅｒｔ  Ｉｎｓｔｒｕｍｅｎｔ  Ｃｏｍｐａｎｙ（Ｐｈｉｌａｄｅｌｐｈｉａ，ＰＡ，Ｕ．Ｓ．Ａ．）製のＪＤＣ  ｐｒｅｃｉｓｉｏｎ  ｓａｍｐｌｅ  ｃｕｔｔｅｒ，Ｍｏｄｅｌ  １−１０）で切断されて寸法安定性及び再現性を確保した最低３つの試験片を、それぞれの測定について機械方向（ＭＤ）（該当する場合）、すなわち、水溶性フィルムのロールを巻き取る／解く方向に試験した。水溶性フィルムは、最低限４８時間で試験環境条件に予め調整した。試験は、２３±２．０℃かつ相対湿度３５±５％の標準的な実験室雰囲気中で実施した。引張ひずみ又は弾性率の測定を行うため、厚さ７６．２±３．８μｍ（３．０±０．１５ミル）の１枚のフィルムシートから幅２．５４ｃｍ（１インチ）の試料を調製する。ｅ−弾性率試験については、バージンフィルムを試験した。引張ひずみ試験については、試験フィルムを、まず後述のプロトコルに従って試験洗剤に前浸漬した。次に試料をＩＮＳＴＲＯＮ引張試験機に移して、試験を進めた。引張試験機は、５００Ｎロードセルを備え、製造者の指示に従って準備し、較正した。適正なグリップ及びフェース面を取り付けた（ゴムでコーティングされた幅２５ｍｍのモデル番号２７０２−０３２のフェース面を有するＩＮＳＴＲＯＮグリップ、又は同等のもの）。試料を、引張試験機に取り付け、１Ｎ／分の速度で伸張し、分析して、ｅ−弾性率（すなわち、弾性変形領域における応力−ひずみ曲線の傾き）及び引張破壊ひずみ（すなわち、フィルム破断時に得られる伸張％、すなわち、１００％は開始の長さを示し、２００％はフィルム破断時に２倍の長さになったフィルムを示す）を判定した。最低３つの試験片の平均を計算し、報告した。
【０１１２】
フィルム前浸漬プロトコル
１１ｃｍ×１２ｃｍの寸法のフィルム試料を、液体家庭用洗剤組成物を封入する封止された区画を形成するために使用されるよう意図された両方のフィルムから作製した。試験フィルムを含む封止された区画内に封入されるよう意図された合計７５０ｍＬの家庭用液体洗剤組成物が、各試験フィルムについて必要とされた。清浄な不活性ガラス容器の底面を、液体の薄層でカバーし、試験するフィルムを、液体上に広げた。フィルムの下で捕捉された気泡を、両側へ向けて静かに押した。フィルムが十分に液体の中に浸漬するように残りの液体を次にフィルムの上面に静かに注いだ。フィルムは、皺がないままでなければならず、気泡は、フィルムと接触してはならない。フィルムを、液体に接触したままで、密閉容器条件下で、３５℃で６日間及び２１℃で一晩貯蔵した。別個のガラス容器を、各試験フィルムについて使用した。フィルムを次に貯蔵容器から取り除き、過剰の液体をフィルムから取り除いた。１枚の紙を実験台保護紙（bench paper）の上面に置かれたフィルムの上に置き、次にフィルムを乾いた紙で十分に拭いて乾かした。フィルムを、このようにして上述の引張ひずみ環境試験条件に予め調整した。固形の家庭用洗剤組成物を封入することを意図するときは、バージンフィルムを引張ひずみ試験に使用した。
【０１１３】
４．保水量の測定方法
保水量を、ＤＶＳ（動的水蒸気吸着）機器で測定した。使用した機器は、ＰｒｏＵｍｉｄ製のＳＰＳ−ＤＶＳ（モデルＳＰＳｘ−１μ−Ｈｉｇｈ  ｌｏａｄ  ｗｉｔｈ  ｐｅｒｍｅａｂｉｌｉｔｙ  ｋｉｔ）であった。ＤＶＳは、水分収着／脱離の判定に重量測定を使用し、完全に自動化されている。
【０１１４】
システムの精度は、０〜９８％の範囲にわたるＲＨ（相対湿度）に関して±０．６％、及び２５℃の温度で±０．３℃である。温度は、＋５〜＋６０℃の範囲であり得る。機器においてマイクロバランスは、質量変化における０．１μｇを解決することができる。各フィルムの２回の繰り返しを測定し、平均保水量値を報告する。
【０１１５】
試験の特定条件に関して、５枚のフィルムを同時に試験可能にする６パンカルーセル（6 pan carousel）（１つのパンは、マイクロバランスの基準として使用され、空のまま残しておく必要がある）を使用した。
【０１１６】
各パンは、フィルムを固定するように設計されたねじの付いたアルミニウム環を有する。１片のフィルムをパンの上に置き、静かに伸張した後、環を上面に置いて、フィルムをねじで緊密に固定し、余分のフィルムを除去した。パン表面を覆うフィルムは、直径が８０ｍｍであった。
【０１１７】
温度を２０℃に固定した。相対湿度（ＲＨ）を、３５％に６時間設定し、次に５分で５０％まで徐々に上げた。ＲＨは、１２時間５０％のままであった。測定の合計時間は、１８時間であった。
【０１１８】
サイクルタイム（＝各パンを測定する間の時間）を１０分に設定した。そして、ＤＶＳは、各重量結果対時間を記録し、％Ｄｍ（相対的な質量変化対フィルムの開始重量、すなわち１０％は、１０％のフィルム重量増加対開始フィルム重量を示す）を自動的に計算する。
【０１１９】
保水量（又は２０℃で１２時間の一定時間、５０％ＲＨサイクルにわたって得られた％Ｄｍ）を、５０％ＲＨでの％Ｄｍ（５０％ＲＨで測定した最終値）引く３５％ＲＨでの％Ｄｍ（５０％ＲＨまで上がる前の最終値）という値の差によって計算した。
【０１２０】
５．溶解及び分解試験（ＭＳＴＭ  ２０５）
フィルムは、当該技術分野において周知であり、ＵＳ２０１６００２４４４６で議論された方法であるＭｏｎｏＳｏｌ試験方法２０５（ＭＳＴＭ  ２０５）に従った溶解時間及び分解時間を特徴とするか又はそれらについて試験され得る。
【実施例】
【０１２１】
以下の単位用量物品を、本明細書に記載のプロトコルごとに、単位用量物品強度、シール不良、及びパウチ溶解について調製し、試験する。本発明の範囲外の比較単位用量物品（複数可）は、単一のフィルムタイプから作製されるが、本発明による例示の単位用量物品は、ホモポリマーの分子量が異なる２つの異なるフィルムから作製される。
【０１２２】
４１ｍｍ×４３ｍｍフットプリント、２０．１ｍｍの空洞深さ及び２５ｍＬの空洞容量を有する複数区画水溶性単位用量物品を、熱／真空成形によって作製する。二重フィルムの例示の単位用量物品については、フィルムＡは、真空下で変形されるが、一方フィルムＢは、閉鎖フィルムとして使用される。Ｆａｉｒｙ  ｎｏｎ−Ｂｉｏ  ３−ｉｎ−１水溶性単位用量物品製品の底面区画内の、ＵＫで２０１６年１月に市販されているような、標準の洗剤組成物を、これらの単一区画単位用量物品内に密閉した。
【０１２３】
下の表１は、単位用量物品の調製に使用されるフィルム組成物を詳述する。
【０１２４】
【表２】
2019518674.tif 000004
【０１２５】
増加するアニオン含有量を有するフィルムから作製された単位用量物品、例えば、パウチは、粘着性の増加を呈する。フィルムのアニオン含有量に関して互いに化学的に異なるフィルムを組み合わせることによって、最適の溶解及び粘着性の減少を呈する水溶性単位用量物品を得ることができる。
【０１２６】
【表３】
2019518674.tif 000005
【０１２７】
本明細書に開示した寸法及び値は、列挙された正確な数値に厳密に限定されるものと理解されるべきではない。むしろ、特に指定されない限り、そのような各寸法は、列挙された値とその値の周辺の機能的に同等の範囲の両方を意味することが意図されている。例えば「４０ｍｍ」として開示される寸法は、「約４０ｍｍ」を意味するものとする。
【０１２８】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用をも、本明細書中で開示又は特許請求されている任意の発明に関する先行技術であるとは認められず、あるいは上記の引用は、単独で又は他の任意の参考文献（単数又は複数）と組み合わせて、そのような任意の発明を教示、示唆又は開示するとは認められない。更に、本文書における用語の任意の意味又は定義が、参照により組み込まれた文書内の同じ用語の意味又は定義と矛盾する場合、本文書におけるその用語に割り当てられた意味又は定義が適用されるものとする。
【０１２９】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019518674.tif 000006
【図２】
2019518674.tif 000007
【図３】
2019518674.tif 000008
【国際調査報告】
2019518674.tif 000009
2019518674.tif 000010